(57)【要約】【課題】ワイヤレスイヤホンが充電器に収容されたことが簡易な手段で検出されるワイヤレスイヤホンと、ワイヤレスイヤホン用充電器と、ワイヤレスイヤホンシステムと、を提供する。【解決手段】音源からの音声信号に応じた音波を出力する電気音響変換器１４と、電気音響変換器からの漏洩磁束を低減する磁界を発生させる磁界発生部１５，２５と、音声信号を、無線通信回線を介して受信する受信回路と、受信回路に給電される電力を充電する充電池１７，２７と、電力を受電する受電部１６４，２６４と、を有してなり、受電部に電力を給電する充電器３と接続可能で、充電器が備えるセンサ３２１（３２１Ｌ，３２１Ｒ）が磁界を検知したときに、受電部は、充電器から電力を受電する、ことを特徴とする。【選択図】図８
2019186870.tif 000002
【特許請求の範囲】
【請求項１】
音源からの音声信号に応じた音波を出力する電気音響変換器と、
前記電気音響変換器からの漏洩磁束を低減する磁界を発生させる磁界発生部と、
前記音声信号を、無線通信回線を介して受信する受信回路と、
前記受信回路に給電される電力を充電する充電池と、
前記電力を受電する受電部と、
を有してなり、
前記受電部に前記電力を給電する充電器と接続可能で、
前記充電器が備えるセンサが前記磁界を検知したときに、前記受電部は、前記充電器から前記電力を受電する、
ことを特徴とするワイヤレスイヤホン。
【請求項２】
前記電気音響変換器を収容する第１筐体と、
前記受信回路を収容する第２筐体と、
を備え、
前記磁界発生部は、前記第１筐体に収容され、
前記受電部は、前記第２筐体の外部に露出される、
請求項１記載のワイヤレスイヤホン。
【請求項３】
前記音波が導かれる内部空間を備える音導管、
を備え、
前記第１筐体は、
前記内部空間と連通する第１空間、
を備え、
前記磁界発生部は、前記第１空間に配置される、
請求項２記載のワイヤレスイヤホン。
【請求項４】
前記第１筐体は、前記第２筐体と接合され、
前記第２筐体は、
前記第１空間と連通する第２空間、
を備え、
前記充電池は、前記第２空間に配置される、
請求項３記載のワイヤレスイヤホン。
【請求項５】
前記電気音響変換器と前記磁界発生部とは、
前記第１空間に配置され、
前記磁界発生部は、前記電気音響変換器の前方に配置される、
請求項３記載のワイヤレスイヤホン。
【請求項６】
ワイヤレスイヤホンを充電するワイヤレスイヤホン用充電器であって、
前記ワイヤレスイヤホンは、
音源からの音声信号に応じた音波を出力する電気音響変換器と、
前記電気音響変換器からの漏洩磁束を低減する磁界を発生させる磁界発生部と、
前記音声信号を、無線通信回線を介して受信する受信回路と、
前記受信回路に給電される電力を充電する充電池と、
前記電力を受電する受電部と、
を備え、
前記ワイヤレスイヤホン用充電器は
前記受電部に前記電力を給電する給電部と、
前記磁界を検知するセンサと、
を有してなり、
前記給電部は、前記センサが前記磁界を検知したときに、前記受電部に前記電力を給電する、
ことを特徴とするワイヤレスイヤホン用充電器。
【請求項７】
前記ワイヤレスイヤホンが収容される収容部、
を備え、
前記センサは、前記ワイヤレスイヤホンが前記収容部に収容されたときに、前記磁界を検知する、
請求項６記載のワイヤレスイヤホン用充電器。
【請求項８】
前記電力が蓄電される蓄電池、
を備える、
請求項６記載のワイヤレスイヤホン用充電器。
【請求項９】
イヤホンと、
前記イヤホンの動作電力を給電する充電器と、
を有してなり、
前記イヤホンは、請求項１記載のワイヤレスイヤホンで、
前記充電器は、請求項６記載のワイヤレスイヤホン用充電器である、
ことを特徴とするワイヤレスイヤホンシステム。
【発明の詳細な説明】
【技術分野】
【０００１】
本発明は、ワイヤレスイヤホンとワイヤレスイヤホン用充電器とワイヤレスイヤホンシステムとに関する。
【背景技術】
【０００２】
近年、音源と接続するためのコードを備えないワイヤレス型のイヤホン（以下「ワイヤレスイヤホン」という。）が販売されている。一般的に、ワイヤレスイヤホンは、左右一対の放音ユニットを有してなる。ワイヤレスイヤホンは、例えば、ブルートゥース（登録商標）などの無線通信回線を介して、携帯型楽音再生機などの音源からの音声信号を受信する。ワイヤレスイヤホンには、左右の放音ユニットがケーブルで連結されたワイヤレスイヤホンと、左右の放音ユニットが完全に独立した（左右の放音ユニットがケーブルで連結されていない）、いわゆる完全ワイヤレスイヤホンと、がある。
【０００３】
ワイヤレスイヤホンは、前述のとおり、コードにより音源と接続されない。そのため、ワイヤレスイヤホンは、使用時に、音源などから電力を受電することができない。したがって、各放音ユニットは、外部電力からの電力を充電して、ワイヤレスイヤホンが備える複数の部品（電子部品）へ充電された電力を給電する、バッテリを備える。
【０００４】
ワイヤレスイヤホンは、バッテリに充電された電力が無くなると動作しない。そのため、ワイヤレスイヤホンは、安定して動作するために、定期的なバッテリの充電を必要とする。
【０００５】
ワイヤレスイヤホンのバッテリを充電するために、ワイヤレスイヤホンの収容や持ち運びに用いる収容ケースを充電器として利用する充電方法が提案されている（例えば、特許文献１参照）。
【０００６】
特許文献１に開示された充電器（収容ケース）は、ワイヤレスイヤホンが収容されると、ワイヤレスイヤホンが収容されたことを検知して、バッテリの充電を開始する。
【先行技術文献】
【特許文献】
【０００７】
【特許文献１】特開２０１２−１００２４８号公報
【発明の概要】
【発明が解決しようとする課題】
【０００８】
特許文献１に記載された充電器（収容ケース）は、収容部と、検出スイッチと、検知部と、を備える。収容部は、ワイヤレスイヤホンを収容する。検出スイッチは、収容部から突出して配置されて、ワイヤレスイヤホンが収容部に収納されたときにワイヤレスイヤホンに押圧される。検知部は、検出スイッチが押圧された動作を検知する。このように、特許文献１に開示された充電器は、ワイヤレスイヤホンが収容部に収容されたことを検知するために、検出スイッチと検知部とで構成される機械的な検知手段を必要とする。そのため、特許文献１に開示された充電器の構成は、複雑になる。
【０００９】
本発明は、以上のような従来技術の問題点を解消するためになされたもので、ワイヤレスイヤホンが充電器に収容されたときに、ワイヤレスイヤホンが充電器に収容されたことが簡易な手段で検出されるワイヤレスイヤホンと、ワイヤレスイヤホン用充電器と、ワイヤレスイヤホンシステムと、を提供することを目的とする。
【課題を解決するための手段】
【００１０】
本発明にかかるワイヤレスイヤホンは、音源からの音声信号に応じた音波を出力する電気音響変換器と、電気音響変換器からの漏洩磁束を低減する磁界を発生させる磁界発生部と、音声信号を、無線通信回線を介して受信する受信回路と、受信回路に給電される電力を充電する充電池と、電力を受電する受電部と、を有してなり、受電部に電力を給電する充電器と接続可能で、充電器が備えるセンサが磁界を検知したときに、受電部は、充電器から電力を受電する、ことを特徴とする。
【発明の効果】
【００１１】
本発明によれば、ワイヤレスイヤホンが充電器に収容されたことが簡易な手段で検出される。
【図面の簡単な説明】
【００１２】
【図１】本発明にかかるワイヤレスイヤホンシステムの実施の形態を示す斜視図である。
【図２】本発明にかかるワイヤレスイヤホンの実施の形態を示す斜視図である。
【図３】図２のワイヤレスイヤホンが備える左放音ユニットの正面図である。
【図４】図３の左放音ユニットのＢＢ線における断面図である。
【図５】図２のワイヤレスイヤホンの機能ブロック図である。
【図６】本発明にかかるワイヤレスイヤホン用充電器の実施の形態を示す斜視図である。
【図７】図６のワイヤレスイヤホン用充電器のＣＣ線における断面図である。
【図８】図１のワイヤレスイヤホンシステムのＡＡ線における断面図である。
【図９】図８のワイヤレスイヤホンシステムにおいて、ワイヤレスイヤホンが備える受電端子と、ワイヤレスイヤホン用充電器が備える給電端子と、の接触状態を示す拡大模式図である。
【図１０】図１のワイヤレスイヤホンシステムの機能ブロック図である。
【発明を実施するための形態】
【００１３】
以下、図面を参照しながら、本発明にかかるワイヤレスイヤホンと、ワイヤレスイヤホン用充電器と、ワイヤレスイヤホンシステムと、の実施の形態について説明する。
【００１４】
●ワイヤレスイヤホンシステム●
先ず、ワイヤレスイヤホンシステム（以下「本システム」という）について説明する。
【００１５】
●ワイヤレスイヤホンシステムの構成
図１は、本システムの実施の形態を示す斜視図である。
同図は、ワイヤレスイヤホン用充電器にワイヤレスイヤホンが収容され、ワイヤレスイヤホン用充電器の蓋（部）が開いた状態を示す。
【００１６】
本システムＳは、ワイヤレスイヤホン（以下「本イヤホン」という。）１とワイヤレスイヤホン用充電器（以下「本充電器」という。）３とを有してなる。本イヤホン１は、左放音ユニット１０と右放音ユニット２０とを備える。本システムＳは、本充電器３に本イヤホン１（左放音ユニット１０，右放音ユニット２０）が収容されることで、本充電器３が本イヤホン１を充電する。
【００１７】
●ワイヤレスイヤホン●
次に、本発明にかかるワイヤレスイヤホンについて、説明する。
【００１８】
●ワイヤレスイヤホンの構成
図２は、本発明にかかるワイヤレスイヤホンの実施の形態を示す斜視図である。
【００１９】
本イヤホン１は、本イヤホン１の使用者の耳に装着されて、携帯型楽音再生機などの音源１００（図５参照）からの音声信号に応じた音波を出力する。本イヤホン１は、例えば、ブルートゥース（登録商標）などの無線通信回線を介して、音源１００からの音声信号を受信する。
【００２０】
本イヤホン１は、左放音ユニット１０と右放音ユニット２０とがケーブルなどにより物理的に連結されていない（左放音ユニット１０と右放音ユニット２０とが完全に独立した）、いわゆる完全ワイヤレスイヤホンである。
【００２１】
以下の説明において、本イヤホン１の前方は、本イヤホン１が使用者の頭部に装着された状態（以下「装着状態」という。）における使用者の頭部側の方向である。本イヤホン１の後方は、装着状態における使用者の頭部側の方向と反対側の方向である。
【００２２】
図３は、左放音ユニット１０の正面図である。
図４は、左放音ユニット１０の図３のＢＢ線における断面図である。
【００２３】
先ず、左放音ユニット１０について説明する。
左放音ユニット１０は、使用者の左耳に装着されて、音源１００（図５参照）からの音声信号に応じた音波を出力する。左放音ユニット１０は、左筐体１１と、左音導管１２と、左イヤピース１３と、左電気音響変換器１４と、左マグネット１５と、左回路基板１６と、左バッテリ１７と、を備える。
【００２４】
左筐体１１は、左電気音響変換器１４と、左マグネット１５と、左回路基板１６と、左バッテリ１７と、を収容する。左筐体１１は、例えば、プラスチックなどの合成樹脂製である。左筐体１１は、第１ハウジング１１１と、第２ハウジング１１２と、第３ハウジング１１３と、を備える。
【００２５】
第１ハウジング１１１は、第２ハウジング１１２と共に、左電気音響変換器１４と左マグネット１５とを収容する。第１ハウジング１１１は、後方に開口する略椀状である。第１ハウジング１１１は、底部（前部）に連通孔１１１ｈを備える。連通孔１１１ｈについては、後述する。
【００２６】
第２ハウジング１１２は、第１ハウジング１１１と共に左電気音響変換器１４と左マグネット１５とを収容する。また、第２ハウジング１１２は、第３ハウジング１１３と共に左回路基板１６と左バッテリ１７とを収容する。第２ハウジング１１２は、前後方向に開口する略鼓状である。第２ハウジング１１２は、括れ部１１２１と仕切部１１２２とを備える。
【００２７】
括れ部１１２１は、装着状態において、使用者の左耳の対珠に配置され、左筐体１１を同左耳に固定する。
【００２８】
仕切部１１２２は、括れ部１１２１の内側に配置され、第２ハウジング１１２の内部の空間を前後に区画する（仕切る）。仕切部１１２２は、連通孔１１２２ｈを備える。連通孔１１２２ｈは、仕切部１１２２の中央に配置され、仕切部１１２２で前後に仕切られた第２ハウジング１１２の内部の空間同士を連通させる。
【００２９】
第３ハウジング１１３は、第２ハウジング１１２と共に左回路基板１６と左バッテリ１７とを収容する。第３ハウジング１１３は、略皿状である。
【００３０】
第１ハウジング１１１は、第２ハウジング１１２の前側の開口に接合され、同開口を覆う。第３ハウジング１１３は、第２ハウジング１１２の後側の開口に接合され、同開口を覆う。その結果、第１ハウジング１１１は、第２ハウジング１１２の仕切部１１２２より前側の部分と共に、本発明における第１筐体１１Ａを構成する。一方、第３ハウジング１１３は、第２ハウジング１１２の仕切部１１２２より後側の部分と共に、本発明における第２筐体１１Ｂを構成する。すなわち、左筐体１１は、仕切部１１２２（括れ部１１２１）を境界として、第１筐体１１Ａと、第１筐体１１Ａの後方に配置される第２筐体１１Ｂと、を備える。換言すれば、第１筐体１１Ａは、仕切部１１２２（括れ部１１２１）において、第２筐体１１Ｂと接合される。
【００３１】
第１筐体１１Ａは、第１ハウジング１１１と第２ハウジング１１２とを備える。第２筐体１１Ｂは、第２ハウジング１１２と第３ハウジング１１３とを備える。すなわち、第２ハウジング１１２は、第１筐体１１Ａと第２筐体１１Ｂとに共通する部材である。
【００３２】
第１筐体１１Ａは、左電気音響変換器１４と左マグネット１５とを収容する。第１筐体１１Ａは、左筐体１１のうち、仕切部１１２２よりも前側の部分である。第１筐体１１Ａは、第１空間Ｒ１を備える。第１空間Ｒ１は、第１ハウジング１１１と第２ハウジング１１２とにより形成（区画）される第１筐体１１Ａの内部の空間である。
【００３３】
第２筐体１１Ｂは、左回路基板１６と左バッテリ１７とを収容する。第２筐体１１Ｂは、左筐体１１のうち、仕切部１１２２よりも後側の部分である。第２筐体１１Ｂは、第２空間Ｒ２を備える。第２空間Ｒ２は、第２ハウジング１１２と第３ハウジング１１３とにより形成（区画）される第２筐体１１Ｂの内部の空間である。第２空間Ｒ２は、連通孔１１２２ｈを介して、第１空間Ｒ１と連通する。
【００３４】
左音導管１２は、本イヤホン１の使用時に左電気音響変換器１４からの音波を使用者の外耳道に導く。左音導管１２は、略円筒状である。すなわち、左電気音響変換器１４は、内部空間１２１Ｒを備える。内部空間１２１Ｒは、左電気音響変換器１４からの音波が導かれる左音導管１２の内部の空間である。左音導管１２は、第１ハウジング１１１の前方に配置され、第１ハウジング１１１の底部から前斜め下方向（図４の紙面左斜め下方向）に突出するように、第１ハウジング１１１と一体に構成される。換言すれば、第１ハウジング１１１は、底部から突出した左音導管１２を備える。内部空間１２１Ｒは、第１空間Ｒ１と連通する。
【００３５】
なお、左音導管は、内部空間が第１空間と連通していれば、第１ハウジングと別体に構成されてもよい。すなわち、例えば、左音導管は、第１ハウジングの底部に接合され、第１ハウジングの底部から突設されてもよい。
【００３６】
左イヤピース１３は、装着状態において使用者の外耳道の内壁と密着する。左イヤピース１３は、左音導管１２の外周面に取り付けられる。左イヤピース１３は、例えば、シリコンゴムなどの弾性材製である。左イヤピース１３は、前端側が断面視Ｕ字状に折り返された略二重筒状である。
【００３７】
左電気音響変換器１４は、音源１００からの音声信号に応じた音波を出力する。左電気音響変換器１４は、例えば、ダイナミック型の電気音響変換器である。左電気音響変換器１４は、振動板（不図示）と、磁気回路（不図示）と、ボイスコイル（不図示）と、を備える。
【００３８】
振動板（不図示）は、ボイスコイルの駆動（振動）に応じて駆動（振動）して、音波を出力する。磁気回路（不図示）は、磁気ギャップを備え、磁気ギャップ内に磁束を発生させる。ボイスコイル（不図示）は、音声信号に応じて駆動する。ボイスコイルは、磁気回路に生じる磁束を横切るように磁気ギャップ内に配置される。ボイスコイルに印加される音声信号に発生する電磁力により、ボイスコイルは、磁気回路に対して振動する。
【００３９】
左電気音響変換器１４は、左筐体１１のうち、第１筐体１１Ａの第１空間Ｒ１に配置される（第１筐体１１Ａに収容される）。第１空間Ｒ１は、図３に示されるように、左電気音響変換器１４により、前部空間Ｒ１１と後部空間Ｒ１２とに区画される。
【００４０】
前部空間Ｒ１１は、第１空間Ｒ１のうち、左電気音響変換器１４よりも前方の空間である。後部空間Ｒ１２は、第１空間Ｒ１のうち、左電気音響変換器１４よりも後方の空間である。前部空間Ｒ１１と後部空間Ｒ１２とは、音響的な容量を持つ空間である。
【００４１】
前部空間Ｒ１１は、音響抵抗（不図示）と連通孔１１１ｈとを介して、左筐体１１の外部の空間と連通する。すなわち、連通孔１１１ｈは、前部空間Ｒ１１と、左筐体１１の外部の空間と、を連通させる孔である。左電気音響変換器１４からの音波のうち、低音域の音波は、連通孔１１１ｈから左筐体１１の外部の空間へ放出される。そのため、左放音ユニット１０が放出する音波の低音域は、抑制される。また、連通孔１１１ｈは、左放音ユニット１０を使用者の左耳に装着するとき（使用者の耳介に装着するとき）に生じる、前部空間Ｒ１１内の圧力の上昇を抑え、左電気音響変換器１４の損傷（例えば、振動板（不図示）の損傷）を防止する。
【００４２】
左マグネット１５は、磁界を発生させる。左マグネット１５は、本発明における磁界発生部である。左マグネット１５は、例えば、ネオジム系の永久磁石である。左マグネット１５は、前部空間Ｒ１１（第１空間Ｒ１）、すなわち、左電気音響変換器１４の前方に配置される。換言すれば、左マグネット１５は、第１筐体１１Ａに収容される。左マグネット１５は、平面視リング状で、中央に貫通孔１５ｈを備える。
【００４３】
貫通孔１５ｈは、貫通孔１５ｈの中心軸が左電気音響変換器１４の中心軸と同軸となるように前部空間Ｒ１１に配置される。貫通孔１５ｈの直径は、第１ハウジング１１１の連通孔１１１ｈの直径よりも大きい。左マグネット１５は、貫通孔１５ｈの中心軸が連通孔１１１ｈの中心軸と同軸となるように配置される。すなわち、貫通孔１５ｈの中心軸は、左電気音響変換器１４の中心軸や、連通孔１１１ｈの中心軸と、同軸である。
【００４４】
なお、左マグネットの貫通孔の中心軸は、左電気音響変換器の中心軸と同軸でなくてもよい。また、貫通孔の直径は、第１ハウジングの連通孔の直径と同じ径でもよい。さらに、左マグネットの貫通孔の中心軸は、連通孔の中心軸と同軸でなくてもよい。
【００４５】
左マグネット１５は、左電気音響変換器１４の磁気回路（不図示）を構成するマグネット（不図示）と同磁極（例えば、Ｎ極）が向き合うように配置されて、接着剤を介して第１ハウジング１１１に固定される。
【００４６】
ここで、一般的に、磁気ギャップのうち、磁気回路（不図示）を構成するマグネット（不図示）とヨーク（不図示）との間の磁気ギャップには、磁気回路からはみ出す漏洩磁束が発生しやすい。しかし、本イヤホン１の左マグネット１５は、磁気回路を構成するマグネットと同磁極が向き合うように配置される。そのため、漏洩磁束は、左マグネット１５から発生される磁界の磁束と反発する。その結果、漏洩磁束は、減少する。換言すれば、左マグネット１５は、左電気音響変換器１４からの漏洩磁束を低減する磁界を発生させる。
【００４７】
左回路基板１６は、後述する電子回路などが取り付けられる（実装される）基板である。左回路基板１６は、第２筐体１１Ｂの第２空間Ｒ２に配置される（第２筐体１１Ｂに収容される）。左回路基板１６は、例えば、ＰＣＢ（printed circuit board）である。
【００４８】
図５は、本イヤホン１の機能ブロック図である。
【００４９】
左回路基板１６は、受信回路１６１と、信号処理回路１６２と、送信回路１６３と、受電端子（受電部）１６４と、を実装する。受信回路１６１と、信号処理回路１６２と、送信回路１６３と、は、前述した電子回路の例である。すなわち、左放音ユニット１０は、受信回路１６１と、信号処理回路１６２と、送信回路１６３と、受電端子１６４と、を備える。
【００５０】
受信回路１６１は、音源１００からの音声信号を、無線通信回線を介して受信する。受信回路１６１が受信する音声信号は、デジタル信号である。受信回路１６１は、受信した音声信号を信号処理回路１６２と送信回路１６３とに伝送する。
【００５１】
信号処理回路１６２は、受信回路１６１が受信した音声信号を処理し、処理した信号を左電気音響変換器１４に伝送する。信号処理回路１６２は、例えば、Ｄ／Ａ変換回路である。すなわち、信号処理回路１６２が処理した後の信号（以下「処理信号」という。）は、例えば、デジタル信号がＤ／Ａ変換されたアナログ信号である。
【００５２】
送信回路１６３は、受信回路１６１からの音声信号を後述する右放音ユニット２０の受信回路２６１に伝送する。
【００５３】
受電端子１６４は、左バッテリ１７に充電される電力を、本充電器３（図１参照）から受電する。受電端子１６４は、左回路基板１６に実装されると共に、後述する給電端子（給電部）３２２（左給電端子（左給電部）３２２Ｌ）と接触する部分は、第２筐体１１Ｂ（第２ハウジング１１２）の外部に露出する（図３参照）。受電端子１６４は、一対の端子で構成される。受電端子１６４の機能については、後述する。
【００５４】
左バッテリ１７は、受電端子１６４からの電力を蓄える（充電する）と共に、左回路基板１６に取り付けられた電子回路（受信回路１６１など）を駆動するための電力を電子回路に供給する（給電する）。すなわち、左バッテリ１７は、電子回路に給電される電力を受電端子１６４から充電すると共に、電子回路を駆動するための電力を電子回路に給電する。左バッテリ１７は、本発明における充電池の例である。左バッテリ１７は、例えば、ボタン型の小型充電池である。左バッテリ１７は、左回路基板１６を介して、受電端子１６４から受信回路１６１と信号処理回路１６２と送信回路１６３とに給電する。
【００５５】
図４に戻る。
左バッテリ１７は、左回路基板１６と共に、第２筐体１１Ｂの第２空間Ｒ２に配置される。
【００５６】
ここで、左電気音響変換器１４は、連通孔１１２２ｈに挿通された信号線（不図示）を介して、左回路基板１６に接続される。信号線が挿通された連通孔１１２２ｈは、例えば、接着剤などで埋められる。そのため、左電気音響変換器１４が配置される第１空間Ｒ１は、左回路基板１６と左バッテリ１７とが配置される第２空間Ｒ２から分離される。このように、第１空間Ｒ１と第２空間Ｒ２とが分離されることで、後部空間Ｒ１２の音響特性は、左回路基板１６や左バッテリ１７の影響を受けず、安定する。すなわち、左電気音響変換器１４から第１空間Ｒ１に放出された音波は、左回路基板１６や左バッテリ１７の影響を受けない。その結果、左電気音響変換器１４の音質は、安定する。
【００５７】
このように構成される左放音ユニット１０は、本イヤホン１の使用時に、使用者の左耳に装着される。このとき、第１筐体１１Ａは使用者の耳甲介腔に配置され、仕切部１１２２（括れ部１１２１）は使用者の対珠に配置され、第２筐体１１Ｂは耳甲介腔の外部に配置される。すなわち、第２筐体１１Ｂは、装着状態において、耳甲介腔の外部に露出する。つまり、装着状態において、左電気音響変換器１４は耳甲介腔の内部に位置し、左回路基板１６や左バッテリ１７などの電気部品は耳甲介腔の外部に位置する。
【００５８】
次に、右放音ユニット２０について説明する。
右放音ユニット２０は、使用者の右耳に装着されて、音源１００（図５参照）からの音声信号に応じた音波を出力する。右放音ユニット２０の構成は、送信回路を備えない点を除いて、左放音ユニット１０の構成と共通する。すなわち、右放音ユニット２０は、右筐体２１と、右音導管２２（図８参照）と、右イヤピース２３と、右電気音響変換器２４と、右マグネット２５（図８参照）と、右回路基板２６と、右バッテリ２７と、を備える。右筐体２１は、第１筐体２１Ａ（図８参照）と第２筐体２１Ｂ（図８参照）とを備える。右回路基板２６には、受信回路２６１と、信号処理回路２６２と、受電端子２６４と、が取り付けられる。
【００５９】
●ワイヤレスイヤホンの動作
次に、本イヤホン１の動作について、図５を参照しながら説明する。
【００６０】
音源１００からのデジタル信号（音声信号）は、無線通信回線を介して、左放音ユニット１０の受信回路１６１に伝送される。受信回路１６１は、受信したデジタル信号（音声信号）を信号処理回路１６２と送信回路１６３とに伝送する。
【００６１】
信号処理回路１６２は、受信回路１６１から伝送されたデジタル信号（音声信号）をアナログ信号（音声信号）に変換し、左電気音響変換器１４に伝送する。左電気音響変換器１４は、信号処理回路１６２から入力されたアナログ信号（音声信号）に基づいた音波を出力する。
【００６２】
一方、送信回路１６３は、受信回路１６１から伝送されたデジタル信号（音声信号）を右放音ユニット２０の受信回路２６１に伝送する。受信回路２６１は、左放音ユニット１０の送信回路１６３から伝送されたデジタル信号（音声信号）を信号処理回路２６２に伝送する。信号処理回路２６２は、受信回路２６１から入力されたデジタル信号（音声信号）をアナログ信号（音声信号）に変換し、右電気音響変換器２４に伝送する。右電気音響変換器２４は、信号処理回路２６２から入力されたアナログ信号（音声信号）に基づいた音波を出力する。
【００６３】
●ワイヤレスイヤホン用充電器●
次に、本充電器について説明する。なお、本充電器は、本イヤホンを収容する収容ケースの機能を兼ねる。すなわち、本充電器は、本イヤホンを収容しながら充電をする。
【００６４】
●ワイヤレスイヤホン用充電器の構成
図６は、本充電器の斜視図である。
図７は、図６のＣＣ線における断面斜視図である。
図８は、図１のＡＡ線における断面斜視図であり、本充電器３に本イヤホン１が収容された状態を示す。
【００６５】
本充電器３は、本イヤホン１を収容して、本イヤホン１を充電する。本イヤホン１が充電されるとき、本イヤホン１は、本充電器３と電気的に接続される。本充電器３は、平面視で角丸長方形状の中空筒状の部材で構成される。本充電器３は、ケース部３１と、回路基板３２と、発光表示部３３と、蓄電池３４（図１０参照）と、外部電源端子部３５と、を備える。
【００６６】
ケース部３１は、本体部３１１と、収容部３１２と、蓋部３１３と、を備える。ケース部３１は、回路基板３２と蓄電池３４（図１０参照）とを収容する。ケース部３１は、例えば、プラスチックなどの合成樹脂製である。
【００６７】
本体部３１１は、回路基板３２と、蓄電池３４（図１０参照）と、収容部３１２の一部と、を収容する。本体部３１１には、外側面部に発光表示部３３と、外部電源端子部３５と、後述するヒンジ部３１３１と、が配置される。本体部３１１は、有底の平面視で角丸長方形状の中空筒状である。
【００６８】
収容部３１２は、本イヤホン１を収容する。すなわち、収容部３１２は、左放音ユニット１０と右放音ユニット２０とを収容する。収容部３１２は、左収容部３１２１と、右収容部３１２２と、収容連結部３１２３と、を備える。
【００６９】
左収容部３１２１は、左放音ユニット１０を収容する。左収容部３１２１は、段部３１２１Ｌを備える。段部３１２１Ｌは、左収容部３１２１に左放音ユニット１０が収容されたときに、左マグネット１５と後述する左センサ３２１Ｌとが近づくようにするために左収容部３１２１が屈曲された部分である。段部３１２１Ｌには、内側に左マグネット１５が近接して配置され、外側に回路基板３２の一端が配置される。左収容部３１２１は、左放音ユニット１０が収容されたときに、左音導管１２が前斜め下方向（図８の紙面右下方向）を向くような形状である。
【００７０】
右収容部３１２２は、右放音ユニット２０を収容する。右収容部３１２２は、段部３１２２Ｒを備える。段部３１２２Ｒは、右収容部３１２２に右放音ユニット２０が収容されたときに、右マグネット２５と後述する右センサ３２１Ｒとが近づくようにするために右収容部３１２２が屈曲された部分である。段部３１２２Ｒには、内側に右マグネット２５が近接して配置され、外側に回路基板３２の他端が配置される。右収容部３１２２は、左放音ユニット１０が収容されたときに、右音導管２２が前斜め下方向（図８の紙面左下方向）を向くような形状である。
【００７１】
収容連結部３１２３は、左収容部３１２１と右収容部３１２２とを連結すると共に、本体部３１１の開口部を覆う。
【００７２】
蓋部３１３は、収容部３１２に収容された各放音ユニット１０，２０が収容部３１２の外部に落ちることを防止する。蓋部３１３は、ヒンジ部３１３１を備える。ヒンジ部３１３１は本体部３１１に取り付けられる。これにより、蓋部３１３は、本体部３１１に対して開閉可能である。蓋部３１３は、本体部３１１に対して閉じたとき、本体部３１１に対してロックされる。
【００７３】
回路基板３２は、センサ３２１と、給電端子３２２と、発光体（不図示）と、が取り付けられる（実装される）基板である。回路基板３２は、ケース部３１（本体部３１１）に収容される。回路基板３２は平板形状で、長手方向の一端は左収容部３１２１の段部３１２１Ｌの位置に配置され、長手方向の他端は右収容部３１２２の段部３１２２Ｒの位置に配置される。回路基板３２は、例えば、ＰＣＢである。
【００７４】
センサ３２１は、左センサ３２１Ｌと右センサ３２１Ｒとを備える。左センサ３２１Ｌは、左マグネット１５が発生させる磁界を検知する。右センサ３２１Ｒは、右マグネット２５が発生させる磁界を検知する。すなわち、マグネット（左マグネット１５，右マグネット２５）はセンサ３２１（左センサ３２１Ｌ，右センサ３２１Ｒ）が検知する磁界を発生させて、センサ３２１はマグネットが発生させる磁界を検知する。センサ３２１は、例えば、ホール素子である。
【００７５】
ここで、左センサ３２１Ｌは、回路基板３２の長手方向の一端に配置される。すなわち、左センサ３２１Ｌは、左収容部３１２１の段部３１２１Ｌの外側の位置に配置される。そのため、左収容部３１２１に左放音ユニット１０が収容されたとき、左センサ３２１Ｌは、段部３１２１Ｌの内側に近接して配置される左マグネット１５の位置と近くなる。その結果、左センサ３２１Ｌは、左マグネット１５が発生させる磁界を検知し易くなる。
【００７６】
右センサ３２１Ｒは、回路基板３２の長手方向の他端に配置される。すなわち、右センサ３２１Ｒは、右収容部３１２２の段部３１２２Ｒの外側の位置に配置される。そのため、右収容部３１２２に右放音ユニット２０が収容されたとき、右センサ３２１Ｒは、段部３１２２Ｒの内側に近接して配置される右マグネット２５の位置と近くなる。その結果、右センサ３２１Ｒは、右マグネット２５が発生させる磁界を検知し易くなる。
【００７７】
給電端子３２２は、バッテリ（左バッテリ１７，右バッテリ２７）から受信回路（受信回路１６１，受信回路２６１）に給電される電力を、受電端子（受電端子１６４，受電端子２６４）に給電する。給電端子３２２は、左給電端子３２２Ｌと右給電端子（右給電部）３２２Ｒとを備える。
【００７８】
左給電端子３２２Ｌは、左バッテリ１７から受信回路１６１（図１０参照）に給電される電力を、受電端子１６４に給電する。左給電端子３２２Ｌは、一対の端子（図９参照）で構成される。左給電端子３２２Ｌの一対の端子は、受電端子１６４に給電するとき、受電端子１６４の一対の端子と接触して導通する。
【００７９】
右給電端子３２２Ｒは、右バッテリ２７から受信回路２６１（図１０参照）に給電される電力を、受電端子２６４に給電する。右給電端子３２２Ｒは、左給電端子３２２Ｌと同じように、一対の端子で構成される。右給電端子３２２Ｒの一対の端子は、受電端子２６４に給電するとき、受電端子２６４の一対の端子と接触して導通する。
【００８０】
なお、本実施の形態では、給電端子３２２と受電端子１６４，２６４とを接触させて給電する構成であるが、本発明における給電端子と受電端子との間の給電方法はこれに限られない。すなわち、例えば、同給電方法は、ワイヤレスイヤホン用充電器側に送電用コイルを設け、ワイヤレスイヤホン側に受電用コイルを設けて、非接触充電の構成により給電する構成でもよい。
【００８１】
発光体（不図示）は、本イヤホン１や本充電器３の充電状態を、発光体の発光状態により、本イヤホン１や本充電器３の使用者に視認させる。発光体は、例えば、複数のＬＥＤ（Light Emitting Diode）である。
【００８２】
発光表示部３３は、本充電器３の蓄電池３４（図１０参照）の蓄電残量を表示する。発光表示部３３は、複数（例えば、３つ）の表示部を備え、各表示部の発光状態で蓄電池３４の蓄電残量を表示する。発光表示部３３は、本体部３１１の外側面部に配置される。発光表示部３３は、発光体（不図示）の発光状態を表示して、発光体の発光状態を使用者に視認させる。すなわち、例えば、発光表示部３３は、３つの表示部全てが発光を表示しているとき、蓄電池３４の蓄電量が最も多いことを示す。発光表示部３３は、１つの表示部のみが発光を表示しているとき、蓄電池３４の蓄電量が最も少ないことを示す発光表示部３３は、２つの表示部が発光を表示しているとき、蓄電池３４の蓄電量はこれらの中間の蓄電量であることを示す。
【００８３】
また、発光表示部３３は、本充電器３に本イヤホン１が収容されているときの本イヤホン１の充電状態を表示する。すなわち、例えば、発光表示部３３は、本イヤホン１が充電されているとき、表示部に発光を表示する。発光表示部３３は、本イヤホン１の充電が終了したとき、ＬＥＤを消灯させ、表示部に表示しない。
【００８４】
なお、発光表示部は、表示部に表示させる発光色を状態に応じて変化させて、発光体の発光状態を使用者に視認させるようにしてもよい。
【００８５】
蓄電池３４（図１０参照）は、外部の電源２００（図１０参照）からの電力を蓄電する。外部の電源２００からの電力は、受信回路（受信回路１６１，受信回路２６１）に給電される電力である。蓄電池３４は、バッテリ（左バッテリ１７，右バッテリ２７）から受信回路（受信回路１６１，受信回路２６１）に給電される電力を、給電端子３２２に給電する。すなわち、蓄電池３４は、バッテリ（左バッテリ１７，右バッテリ２７）から受信回路（受信回路１６１，受信回路２６１）に給電される電力が蓄電される。蓄電池３４は、ケース部３１に収容される。蓄電池３４は、ケース部３１内において、発光体（不図示）と給電端子３２２と配線（不図示）などにより電気的に接続される。
【００８６】
外部電源端子部３５は、外部の電源２００（図１０参照）からの電力を、蓄電池３４（図１０参照）に給電する。外部電源端子部３５は、本体部３１１の外側面部に配置される。外部電源端子部３５は、例えば、ＵＳＢ（Universal Serial Bus）端子部である。外部の電源２００は、例えば、パーソナルコンピュータである。すなわち、例えば、外部電源端子部３５（ＵＳＢ端子部）は、ＵＳＢケーブルを介してパーソナルコンピュータからの電力を、蓄電池３４に給電する。その結果、蓄電池３４は、蓄電される。つまり、本充電器３は、本イヤホン１の動作電力を充電する。
【００８７】
●ワイヤレスイヤホンシステムの動作
次に、本システムＳの動作について説明する。ここで、本システムＳの動作において、本充電器３から右放音ユニット２０に対する充電は、本充電器３から左放音ユニット１０に対する充電と共通する。そこで、以下、本充電器３から左放音ユニット１０に対する充電を例に説明する。
【００８８】
図９は、本システムＳにおいて、一対の受電端子１６４と一対の給電端子３２２との接触状態を示す拡大模式図である。
図１０は、本システムＳの機能ブロック図である。
【００８９】
本充電器３は、外部の電源２００からの電力を充電する。
【００９０】
外部の電源２００からの電力は、外部電源端子部３５を介して、蓄電池３４に給電される。蓄電池３４は、電源２００から給電された電力（受信回路１６１に給電される電力）を蓄電する。蓄電池３４は、蓄電した電力を左給電端子３２２Ｌに給電する。
【００９１】
一方、左センサ３２１Ｌは、本充電器３に左放音ユニット１０が収容されたとき、左マグネット１５が発生させる磁界を検知（検出）して、検知情報（検知信号）を左給電端子３２２Ｌに伝送する。
【００９２】
左給電端子３２２Ｌは、左センサ３２１Ｌが磁界を検知したときに、蓄電池３４に蓄電されている電力を受電端子１６４に給電する。受電端子１６４は、左センサ３２１Ｌが磁界を検知したときに、蓄電池３４からの電力を左給電端子３２２Ｌ（本充電器３）から受電する。例えば、本充電器３は、蓄電池３４と給電端子３２２との間に直列にスイッチ（例えば、ＦＥＴ（Field Effect Transistor））を備える。本充電器３は、センサ３２１（左センサ３２１Ｌ，右センサ３２２Ｒ）が磁界を検知するとスイッチをオンにして、蓄電池３４に蓄電されている電力の受電端子１６４への給電を開始する。また、本充電器３は、センサ３２１が磁界を検知しなくなるとスイッチをオフにして、受電端子１６４への給電を停止する。すなわち、本充電器３は、センサ３２１が磁界を検知している間、本イヤホン１に給電する（本イヤホン１を充電する）。
【００９３】
受電端子１６４は、左給電端子３２２Ｌから受電した電力を、左バッテリ１７に給電する。左バッテリ１７は、受電端子１６４から給電された（受電した）電力を充電する。
【００９４】
左バッテリ１７は、受電端子１６４から受電して充電した電力を、電子回路（受信回路１６１，信号処理回路１６２，送信回路１６３）に給電する。
【００９５】
●まとめ
以上説明した実施の形態によれば、本イヤホン１は、電気音響変換器（左電気音響変換器１４，右電気音響変換器２４）からの漏洩磁束を低減するために利用されるマグネット（左マグネット１５，右マグネット２５）を用いて、本充電器３に本イヤホン１が収容されたことを検知（検出）させる。
【００９６】
また、本充電器３は、本イヤホン１のマグネット（左マグネット１５，右マグネット２５）が発生させる磁界を検知するセンサ３２１（左センサ３２１Ｌ，右３２１Ｒ）により、本イヤホン１の収容を検知する。すなわち、本システムＳでは、センサ３２１が磁界を検知している間、給電端子３２２は蓄電池３４に蓄電されている電力を受電端子１６４，２６４に給電し、受電端子１６４，２６４は蓄電池３４からの電力を給電端子３２２から受電する。その結果、本システムＳは、機械的な検知手段を設けることなく、本イヤホン１が本充電器３に収容されたことを簡易な手段で検出して、検出している間、本イヤホン１の充電をすることができる。
【００９７】
さらに、本充電器３は、本イヤホン１が本充電器３に収容されたとき、マグネットとセンサ３２１とが近づくように収容部が形成されているので、センサ３２１は、マグネットが発生させる磁界を検知し易い。
【００９８】
さらにまた、本システムＳは、本イヤホン１を収容する収容ケースを充電器として兼用している。そのため、本システムＳは、本イヤホン１が収容ケースに収容されて持ち運ばれている最中に、本イヤホン１の充電をすることができる。
【符号の説明】
【００９９】
Ｓ            ワイヤレスイヤホンシステム
１            ワイヤレスイヤホン
３            ワイヤレスイヤホン用充電器
１０          左放音ユニット
１１          左筐体
１１Ａ        第１筐体
１１Ｂ        第２筐体
１２          左音導管
１２１Ｒ      内部空間
１４          左電気音響変換器
１５          左マグネット
１６          左回路基板
１６１        受信回路
１６４        受電端子
１７          左バッテリ
Ｒ１          第１空間
Ｒ２          第２空間
３１          ケース部
３１１        本体部
３１２        収容部
３１２１      左収容部
３１２１Ｌ    段部
３１２２      右収容部
３１２２Ｒ    段部
３１２３      収容連結部
３２          回路基板
３２１        センサ
３２１Ｌ      左センサ
３２１Ｒ      右センサ
３２２        給電端子
３２２Ｌ      左給電端子
３２２Ｒ      右給電端子
【図１】
2019186870.tif 000003
【図２】
2019186870.tif 000004
【図３】
2019186870.tif 000005
【図４】
2019186870.tif 000006
【図５】
2019186870.tif 000007
【図６】
2019186870.tif 000008
【図７】
2019186870.tif 000009
【図８】
2019186870.tif 000010
【図９】
2019186870.tif 000011
【図１０】
2019186870.tif 000012